(57)【要約】【課題】フィルタの目詰まりによる冷却効率の低減を防止するとともに、フィルタの交換や清掃回数を大幅に低減させることを可能にした投射型画像表示装置を提供すること。【解決手段】筐体内を冷却するためのファンと、筺体内に外気を取り入れるための開口部に設けられたフィルタユニットとを備える投射型画像表示装置において、前記フィルタユニットは、防塵フィルタと、該防塵フィルタに付着した塵埃を剥離させる塵埃剥離手段と、該防塵フィルタに沿って風を流すための送風機と、該送風機により風を通すための導風部材とを備え、前記導風部材は前記防塵フィルタに沿って移動可能に配置され、前記塵埃剥離手段により前記防塵フィルタに付着した塵埃を剥離させながら該導風部材を移動させ前記送風機から風を流すことにより塵埃を排出することを特徴とする。【選択図】図３
2016057556.tif 000002
【特許請求の範囲】
【請求項１】
筐体内を冷却するためのファンと、
筺体内に外気を取り入れるための開口部に設けられたフィルタユニットと、
を備える投射型画像表示装置において、
前記フィルタユニットは、
防塵フィルタと、
該防塵フィルタに付着した塵埃を剥離させる塵埃剥離手段と、
前記防塵フィルタに沿って風を流すための送風機と、
該送風機により風を通すための導風部材と、
を備え、
前記導風部材は前記防塵フィルタに沿って移動可能に配置され、
前記塵埃剥離手段により前記防塵フィルタに付着した塵埃を剥離させながら該導風部材を移動させると共に、前記送風機から風を流すことにより塵埃を排出することを特徴とする投射型画像表示装置。 
【請求項２】
前記導風部材よりも筺体の内部側に配置される防風部材を備え、
該防風部材は前記防塵フィルタに沿って移動可能に配置され、
前記導風部材と前記防風部材が前記防塵フィルタを挟むように配置されることを特徴とする請求項１に記載の投射型画像表示装置。
【請求項３】
排出した塵埃を収容する塵埃収容部を備え、
前記導風部材の端部が前記塵埃収容部に連結することを特徴とする請求項１又は請求項２に記載の投射型画像表示装置。 
【請求項４】
前記塵埃剥離手段は前記防風部材に配置されることを特徴とする請求項２に記載の投射型画像表示装置。 
【請求項５】
前記塵埃剥離手段は振動付与手段であることを特徴とする請求項１乃至請求項４の何れか一項に記載の投射型画像表示装置。 
【発明の詳細な説明】
【技術分野】
【０００１】
本発明は、投射型画像表示装置に関し、特に外気を取り込み筐体内部を冷却する投射型画像表示装置に関する。
【背景技術】
【０００２】
従来、投射型画像表示装置には光源や光変調手段を空冷するためのファンが設けられており、また、ファンが筺体内に取り入れた空気に含まれる塵埃が筺体内に侵入することを防ぐための防塵フィルタが設けられている。防塵フィルタが目詰まりすると冷却効率が低下するため、定期的に防塵フィルタの交換や清掃といったメンテナンスが必要とされていたが、近年ではメンテナンス性の向上のため、防塵フィルタに付着した塵埃を清掃する機構を備えることで防塵フィルタの交換回数を低減させる構成が採用されている。
【０００３】
特許文献１では、複数種類の塵埃除去フィルタと、塵埃除去フィルタに振動を与える振動付与部とを備えた投射型映像表示装置において、塵埃除去フィルタを振動付与部により振動させることで塵埃除去フィルタに付着した塵埃を落とし、フィルタの交換回数を低減させる技術が開示されている。
【０００４】
特許文献２では、エアフィルタの表面を移動可能に配置された清掃ユニットと、この清掃ユニットに適宜連結され清掃ユニットに収集した塵埃を機外に排出する排気ユニットを備えた空気調和機の室内機において、清掃ユニットと排気ユニットとの連結時に清掃ユニット内の塵埃収容部に収容された塵埃を排気ファンから吹き出される空気とともに機外に排出する技術が開示されている。
【先行技術文献】
【特許文献】
【０００５】
【特許文献１】特開２０１０−１９７５７５号公報
【特許文献２】特開２００８−３２３５１号公報
【発明の概要】
【発明が解決しようとする課題】
【０００６】
しかしながら、上述の特許文献１に開示された従来技術では、防塵フィルタを振動させて振るい落とした塵埃に対する処理を行わないため、塵埃が装置内に堆積していくこととなる。そのため、塵埃が防塵フィルタに再付着して目詰まりを起こす恐れや、ユニット内を清掃する作業が必要となる恐れがある。
【０００７】
また、上述の特許文献２に開示された従来技術では、清掃ユニットに収集された塵埃が、排気ユニットにより機外に排出される前に清掃ユニットから漏出し、防塵フィルタに再付着して目詰まりを起こす恐れや、ユニット内を清掃する作業が必要となる恐れがある。
【０００８】
そこで、本発明の目的は、フィルタの目詰まりによる冷却効率の低減を防止するとともに、フィルタから除去した塵埃がフィルタに再付着することを抑制し、フィルタの交換や清掃回数を大幅に低減させることを可能にした投射型画像表示装置を提供することにある。
【課題を解決するための手段】
【０００９】
上記目的を達成するために、本発明は、筐体内を冷却するためのファンと、筺体内に外気を取り入れるための開口部に設けられたフィルタユニットとを備える投射型画像表示装置において、前記フィルタユニットは、防塵フィルタと、該防塵フィルタに付着した塵埃を剥離させる塵埃剥離手段と、該防塵フィルタに沿って風を流すための送風機と、該送風機により風を通すための導風部材とを備え、前記導風部材は前記防塵フィルタに沿って移動可能に配置され、前記塵埃剥離手段により該防塵フィルタに付着した塵埃を剥離させながら該導風部材を移動させると同時に、前記送風機から風を流すことにより塵埃を排出することを特徴とする。
【発明の効果】
【００１０】
本発明によれば、投射型表示装置において、塵埃剥離手段により防塵フィルタに付着する塵埃を剥離させてフィルタの目詰まりを抑えるため、冷却効率を良好に保ちながらフィルタの交換作業回数を大幅に低減させる事が可能となる。また、剥離させた塵埃を送風機により直ちにフィルタユニットから排出させることで、塵埃のフィルタへの再付着や、フィルタユニットに塵埃が堆積することを抑えるため、フィルタユニットの清掃回数を大幅に低減させる事が可能な投射型画像表示装置の提供を実現できる。
【図面の簡単な説明】
【００１１】
【図１】本発明の実施形態に係る投射型画像表示装置の全体斜視図
【図２】本発明の実施形態に係る投射型画像表示装置の概略平面図
【図３】本発明における第１の実施形態に係るフィルタユニットの斜視図
【図４】図３のＡ-Ａ線に沿う断面図
【図５】図３のＢ-Ｂ線に沿う断面図
【図６】本発明における第２の実施形態に係るフィルタユニットの斜視図
【図７】図６のＡ-Ａ線に沿う断面図
【図８】図６のＢ-Ｂ線に沿う断面図
【発明を実施するための形態】
【００１２】
以下に、本発明の好ましい実施の形態を、添付の図面に基づいて詳細に説明する。
【００１３】
《第１の実施形態》
図１は、本発明の実施形態に係る投射型画像表示装置の全体斜視図、図２は、本発明の実施形態に係る投射型画像表示装置の概略平面図である。以下、図１及び図２を参照して、本発明の第１の実施形態による、投射型画像表示装置の全体構成について説明する。図１において、１は投射型画像表示装置、２は投射レンズ、３は外気を装置内に導入するための吸気口である。図２において、４は光源ランプ、５は光源から出射される光束を画像などに変調する液晶パネルなどの光変調手段を有する光学エンジン、６は排気ファン、７は排気口、８は本提案のフィルタユニットである。
【００１４】
光源ランプ４や光学エンジン５は非常に高温となるため、これを冷却するために排気ファン６を動作させ冷却風２０を吸気口３より導入する。冷却風２０はフィルタユニット８を通過した後、光源ランプ４や光学エンジン５へと導かれ、これを冷却する。冷却し温度が上昇した冷却風２０は排気ファン６により排気口７から装置外へと排出される。
【００１５】
次に図３から図５を用いて、本発明の第1の実施形態による、フィルタユニットについて説明する。図３は、本発明における実施形態１に係るフィルタユニットの斜視図。図４及び図５は、フィルタユニットの断面図（図３のＡ-Ａ線に沿う断面図、及びＢ-Ｂ線に沿う断面図）である。
【００１６】
図３において、フィルタユニット８は、防塵フィルタ１０と、導風部材１１と、送風機１２と、導風部材と送風機を連結させる伸縮自在としたダクト１３と、塵埃剥離手段である圧電素子１４と、防風部材１５とを備える。また、導風部材１１及び防風部材１５は防塵フィルタ１０に沿って移動自在とする図示しない移動手段を備える。
【００１７】
図４において、吸気口３より導入された冷却風２０は、防塵フィルタ１０の外面から内面へと通過し、装置内部の被冷却部へと導かれる。一方、送風機１２からの空気２１は、ダクト１３を通り、導風部材１１へと導かれる。空気２１は防風部材１５があるため防塵フィルタ１０を通過することなく、防塵フィルタ１０の表面に沿って流れ、導風部材１１端部からフィルタユニット８外へと排出される。
【００１８】
図５において、２２は空気中の塵埃であり、塵埃２２は吸気口３から装置へと導かれ、防塵フィルタ１０の外面へ付着する。圧電素子１４により防塵フィルタ１０を振動させることで、塵埃２２を防塵フィルタ１０から剥離させる事が出来るが、吸気口３から吸気される冷却風２０により防塵フィルタ１０に再付着する。しかし、導風部材１１によって冷却風２０が防がれている範囲の塵埃２２は防塵フィルタ１０から剥離して導風部材１１内に舞い上がる。導風部材１１内に舞い上がった塵埃２０は送風機１２から導風部材１１へ導かれた空気２１により、導風部材１１端部からフィルタユニット８外へと排出される。
【００１９】
導風部材１１及び防風部材１５は図示しない移動手段により防塵フィルタに沿って移動する事ができるため、塵埃を剥離させながら導風部材１１と防風部材１５を移動させることで防塵フィルタ全面に付着した塵埃を剥離させる事ができる。
【００２０】
このように、防塵フィルタに付着した塵埃を剥離させた直後に送風機によってフィルタユニットから排出する構成とすることで、塵埃が防塵フィルタに再付着する事を抑制する事が可能となる。
【００２１】
また、剥離させた塵埃を送風機により直ちにフィルタユニットから排出させることで、塵埃のフィルタへの再付着や、フィルタユニットに塵埃が堆積することを抑えるため、フィルタユニットの清掃回数を大幅に低減させる事が可能となる。
【００２２】
上記の構成によるフィルタユニットを搭載した投射型画像表示装置によれば、塵埃剥離手段により防塵フィルタに付着する塵埃を剥離させてフィルタの目詰まりを抑えるため、冷却効率を良好に保ちながらフィルタの交換作業回数を大幅に低減させる事が可能となる。また、剥離させた塵埃を送風機により直ちにフィルタユニットから排出させることで、塵埃のフィルタへの再付着することを抑制できるため、効率的に冷却効率を良好に保つことが可能な投射型画像表示装置を提供することができる。
【００２３】
《第２の実施形態》
以下、図６から図８を参照して、本発明の第２の実施形態による、フィルタユニットについて説明する。図６は、本発明における第２の実施形態に係るフィルタユニットの斜視図である。図７及び図８は、フィルタユニットの原理図（図６のＡ-Ａ線に沿う断面図、及びＢ-Ｂ線に沿う断面図）である。本実施形態において、第１の実施形態と同様のものは同一の番号を付している。
【００２４】
図６において、防塵フィルタ１０よりも細かな塵埃を捕集することのできる第二の防塵フィルタ１６と、十分な塵埃収容量を持つ防塵フィルタ１０よりも細かな塵埃を捕集する事ができるフィルタからなる塵埃収容部１７と、導風部材１１と塵埃収容部１７を連結させる伸縮自在としたダクト１８と、防風部材１５内で揺動自在とした回転体１９とを備える。
【００２５】
図７において、吸気口３より吸気された冷却風２０は、防塵フィルタ１０の外面から内面へと通過した後、第二の防塵フィルタ１６の外面から内面へと通過し、装置内部の被冷却部へと導かれる。
【００２６】
一方、送風機１２からの空気２１は、ダクト１３を通り、導風部材１１へと導かれる。空気２１は防風部材１５があるため防塵フィルタ１０を通過することなく、防塵フィルタ１０の表面に沿って流れ、導風部材１１端部からダクト１８を通り、塵埃収容部１７へと排出される。
【００２７】
図８において、２２は空気中の塵埃であり、塵埃２２は吸気口３から装置へと導かれ、防塵フィルタ１０の外面へ付着する。第二の防塵フィルタ１６を防塵フィルタ１０よりも冷却風の流れの下流側に配置することで、防塵フィルタ１０を通過する細かな塵埃を捕集する事ができるため、より多くの塵埃を捕集する事ができる。
【００２８】
回転体１９を図８に示す揺動方向２３のように防塵フィルタ１０に当たるまで揺動させることで防塵フィルタ１０に衝撃を与え、防塵フィルタ１０の回転体１９に衝撃を加えられた箇所周辺に付着した塵埃２２を剥離させる。剥離した塵埃２２は導風部材１１内に舞い上がり、送風機１２からの空気２１により導風部材１１端部からダクト１８を通り、塵埃収容部１７へと排出される。
【００２９】
導風部材１１及び防風部材１５は図示しない移動手段により防塵フィルタに沿って移動する事ができるため、回転体１９を揺動させながら導風部材１１と防風部材１５を移動させることで、防塵フィルタ全面に付着した塵埃を剥離させる事ができる。
【００３０】
防塵フィルタ１０より剥離させた塵埃２２を送風機１２からの空気２１により塵埃収容部１７へと排出させることで、塵埃２２が防塵フィルタ１０や導風部材１１内に戻る事を抑制する。
【００３１】
剥離させた塵埃を送風機により直ちにフィルタユニットから塵埃収容部へと排出することで、塵埃の防塵フィルタへの再付着を抑制し、塵埃を塵埃収容部へ収容するため装置内に塵埃が漏出する事を抑制する事ができる。そのため、防塵フィルタの交換及び装置内を清掃する回数を大幅に低減させる事が可能となる。また、塵埃収容部をフィルタユニットから着脱可能とすれば、塵埃収容部に塵埃が溜まってしまった場合でも、容易に清掃や交換を行えるため、より使い勝手を向上させることができる。
【００３２】
上記の構成によるフィルタユニットを搭載した投射型画像表示装置によれば、回転体により防塵フィルタに付着する塵埃を剥離させて防塵フィルタの目詰まりを抑えるため、冷却効率を良好に保ちながら防塵フィルタの交換作業回数を大幅に低減させる事ができる。
【００３３】
また、剥離させた塵埃を送風機により直ちにフィルタユニットから排出させることで、塵埃のフィルタへの再付着することを抑制できるため、効率的に冷却効率を良好に保つことが可能な投射型画像表示装置を提供することができる。
【００３４】
以上、本発明の好ましい実施形態について説明したが、本発明はこれらの実施形態に限定されず、その要旨の範囲内で種々の変形及び変更が可能である。
【符号の説明】
【００３５】
１  投射型画像表示装置、２投射レンズ、３  吸気口、４  光源ランプ、
５  光学エンジン、６  排気ファン、７  排気口、８  フィルタユニット、
１０  防塵フィルタ、１１  導風部材、１２  送風機、１３  ダクト、
１４  圧電素子、１５  防風部材、１６  第二の防塵フィルタ、１７  塵埃収容部、
１８  ダクト、１９  回転体、２０  冷却風、２１  送風機から流れる空気、
２２  塵埃、２３  回転体揺動方向
【図１】
2016057556.tif 000003
【図２】
2016057556.tif 000004
【図３】
2016057556.tif 000005
【図４】
2016057556.tif 000006
【図５】
2016057556.tif 000007
【図６】
2016057556.tif 000008
【図７】
2016057556.tif 000009
【図８】
2016057556.tif 000010